(57)【特許請求の範囲】
【請求項１】
フロント装置が設けられた自走可能な車体と、
前記車体に搭載されたエンジンと、
前記エンジンの排気管に設けられ排気ガス中の窒素酸化物を除去する尿素選択還元触媒を備えた排気ガス浄化装置と、
還元剤である尿素水を前記尿素選択還元触媒よりも上流側に噴射する尿素水噴射弁と、
前記尿素水噴射弁に供給される前記尿素水を貯える尿素水タンクと、
前記尿素水タンクに貯えられた前記尿素水を前記尿素水噴射弁に向けて供給する尿素水ポンプと、
前記尿素水タンクと前記尿素水ポンプとの間を接続して設けられ前記尿素水タンクから前記尿素水ポンプに向けて吸い込まれる前記尿素水が流通する吸込管路と、
前記尿素水ポンプと前記尿素水タンクとの間を接続して設けられ前記尿素水ポンプから前記尿素水タンクに向けて戻される前記尿素水が流通する戻り管路と、
前記尿素水ポンプと前記尿素水噴射弁との間を接続して設けられ前記尿素水ポンプにより前記尿素水噴射弁に向けて供給される前記尿素水が流通する供給管路とを備え、
前記車体は、自走可能な下部走行体と、該下部走行体上に旋回可能に搭載された上部旋回体とからなり、
前記上部旋回体は、
前記下部走行体に取り付けられるための支持構造体をなし、該支持構造体の前側に前記フロント装置が取り付けられる旋回フレームと、
前記フロント装置との重量バランスをとるために前記旋回フレームの後端に設けられたカウンタウエイトと、
前記カウンタウエイトの前側に位置して前記旋回フレームの後部に左，右方向に延在する横置き状態で搭載された前記エンジンと、
前記エンジンの左，右方向の一側に配置され外部の空気を冷却風として吸込む冷却ファンと、
前記冷却ファンによる冷却風の流れ方向の上流側に位置するように前記冷却ファンと対面して配置された熱交換装置と、
前記熱交換装置に供給される冷却風の流れ方向に対して前記熱交換装置よりも上流側に設けられた熱交換装置上流室と、
前記旋回フレームの前側で前記フロント装置を挟んだ左，右方向の一側に設けられたキャブと、
を備えてなる建設機械において、
前記旋回フレームには、前記熱交換装置上流室と前記キャブとの間を仕切る仕切板が立設され、
前記尿素水タンクは、前記熱交換装置上流室内に位置して前記旋回フレーム上に設けられると共に、前記仕切板に隣接して配置されており、
前記尿素水ポンプは、前記熱交換装置上流室内で前記尿素水タンクよりも上方に位置して前記仕切板に取り付けられており、
前記戻り管路は、前記尿素水ポンプと前記尿素水タンクとの間を上から下に向かった方向に配設されていることを特徴とする建設機械。
【請求項２】
前記吸込管路と前記戻り管路は、互いに隣接して配置され、かつ前記吸込管路と前記戻り管路とは、留め具を用いて前記仕切板に一緒に固定されていることを特徴とする請求項１に記載の建設機械。
【発明の詳細な説明】
【技術分野】
【０００１】
本発明は、尿素水を貯える尿素水タンクと尿素水タンク内の尿素水を排気ガス浄化装置に供給する尿素水ポンプとを搭載した油圧ショベル等の建設機械に関する。
【背景技術】
【０００２】
一般に、建設機械の代表例である油圧ショベルは、自走可能な下部走行体と、該下部走行体上に旋回可能に搭載された上部旋回体と、該上部旋回体に俯仰動可能に設けられたフロント装置とにより構成されている。フロント装置は、ブーム、アーム、バケットと、これらを駆動するブームシリンダ、アームシリンダ、バケットシリンダからなる複数の油圧アクチュエータとにより構成され、各油圧アクチュエータを作動させることにより土砂の掘削作業を行う。
【０００３】
上部旋回体は、下部走行体に取り付けられるための支持構造体をなし、該支持構造体の前側にフロント装置が取り付けられる旋回フレームと、フロント装置との重量バランスをとるために旋回フレームの後端に設けられたカウンタウエイトと、該カウンタウエイトの前側に位置して旋回フレームの後部に左，右方向に延在する横置き状態で搭載されたエンジンと、該エンジンの排気管に設けられ排気ガス中の窒素酸化物を除去する尿素選択還元触媒を備えた排気ガス浄化装置と、該排気ガス浄化装置に設けられ還元剤である尿素水を尿素選択還元触媒よりも上流側に噴射する尿素水噴射弁と、該尿素水噴射弁に供給される尿素水を貯える尿素水タンクと、該尿素水タンクに貯えられた尿素水を尿素水噴射弁に向けて供給する尿素水ポンプとを備えている。
【０００４】
この場合、尿素水タンクと尿素水ポンプとの間は、尿素水タンクから尿素水ポンプに向けて吸い込まれる尿素水が流通する吸込管路により接続され、尿素水ポンプと尿素水タンクとの間は、尿素水ポンプから尿素水タンクに向けて戻される尿素水が流通する戻り管路により接続されている。そして、尿素水ポンプと尿素水噴射弁との間は、尿素水ポンプにより尿素水噴射弁に向けて供給される尿素水が流通する供給管路により接続されている（例えば、特許文献１参照）。
【先行技術文献】
【特許文献】
【０００５】
【特許文献１】特開２０１５−１０５５９０号公報
【発明の概要】
【発明が解決しようとする課題】
【０００６】
ところで、寒冷地など低温環境下の地域においては、上述した各尿素水管路および尿素水タンク内に貯えられた尿素水が凍結してしまう虞がある。従来技術として、各尿素水管路や尿素水タンクにヒータ（熱線）を設置し、凍結した尿素水の解凍を行う技術や、エンジンの停止時に、尿素水ポンプ内の戻り管路側の弁を閉じて尿素水ポンプを逆転駆動させることにより、吸込管路内の尿素水と供給管路内の尿素水とを尿素水タンクに戻して管路内の尿素水の凍結を防止する技術が知られている。しかし、前者の技術においては、部品点数増加によるコスト増加、後者の技術においては、尿素水ポンプの逆転駆動によって吸込管路内と供給管路内の尿素水は尿素水タンクに戻すことができるが、戻り管路内の尿素水は尿素水タンクに戻すことができずに残留することになる。
【０００７】
戻り管路内の尿素水の残留量は、尿素水タンク内の尿素水の貯留量に比べて少ないので短時間で凍結してしまう虞がある。戻り管路内の尿素水が凍結した状態で尿素水ポンプを駆動すると、各管路内に尿素水を円滑に循環させることができず、排気ガスの浄化処理制御を適切に行うことができない虞がある。
【０００８】
本発明は上述した従来技術の問題に鑑みなされたもので、本発明の目的は、戻り管路内に尿素水が残留するのを抑制することができる建設機械を提供することにある。
【課題を解決するための手段】
【０００９】
上記課題を解決するために、本発明は、フロント装置が設けられた自走可能な車体と、前記車体に搭載されたエンジンと、前記エンジンの排気管に設けられ排気ガス中の窒素酸化物を除去する尿素選択還元触媒を備えた排気ガス浄化装置と、還元剤である尿素水を前記尿素選択還元触媒よりも上流側に噴射する尿素水噴射弁と、前記尿素水噴射弁に供給される前記尿素水を貯える尿素水タンクと、前記尿素水タンクに貯えられた前記尿素水を前記尿素水噴射弁に向けて供給する尿素水ポンプと、前記尿素水タンクと前記尿素水ポンプとの間を接続して設けられ前記尿素水タンクから前記尿素水ポンプに向けて吸い込まれる前記尿素水が流通する吸込管路と、前記尿素水ポンプと前記尿素水タンクとの間を接続して設けられ前記尿素水ポンプから前記尿素水タンクに向けて戻される前記尿素水が流通する戻り管路と、前記尿素水ポンプと前記尿素水噴射弁との間を接続して設けられ前記尿素水ポンプにより前記尿素水噴射弁に向けて供給される前記尿素水が流通する供給管路とを備え、前記車体は、自走可能な下部走行体と、該下部走行体上に旋回可能に搭載された上部旋回体とからなり、前記上部旋回体は、前記下部走行体に取り付けられるための支持構造体をなし、該支持構造体の前側に前記フロント装置が取り付けられる旋回フレームと、前記フロント装置との重量バランスをとるために前記旋回フレームの後端に設けられたカウンタウエイトと、前記カウンタウエイトの前側に位置して前記旋回フレームの後部に左，右方向に延在する横置き状態で搭載された前記エンジンと、前記エンジンの左，右方向の一側に配置され外部の空気を冷却風として吸込む冷却ファンと、前記冷却ファンによる冷却風の流れ方向の上流側に位置するように前記冷却ファンと対面して配置された熱交換装置と、前記熱交換装置に供給される冷却風の流れ方向に対して前記熱交換装置よりも上流側に設けられた熱交換装置上流室と、前記旋回フレームの前側で前記フロント装置を挟んだ左，右方向の一側に設けられたキャブと、を備えてなる建設機械において、前記旋回フレームには、前記熱交換装置上流室と前記キャブとの間を仕切る仕切板が立設され、前記尿素水タンクは、前記熱交換装置上流室内に位置して前記旋回フレーム上に設けられると共に、前記仕切板に隣接して配置されており、前記尿素水ポンプは、前記熱交換装置上流室内で前記尿素水タンクよりも上方に位置して前記仕切板に取り付けられており、前記戻り管路は、前記尿素水ポンプと前記尿素水タンクとの間を上から下に向かった方向に配設されている。
【発明の効果】
【００１０】
本発明によれば、尿素水タンクと尿素水ポンプとを接続する戻り管路内で尿素水が凍結するのを抑制することができ、ひいては排気ガスの浄化処理制御の信頼性、安定性を向上することができる。
【図面の簡単な説明】
【００１１】
【図１】本発明の実施の形態による油圧ショベルを示す正面図である。
【図２】フロント装置の一部を省略した油圧ショベルを拡大して示す平面図である。
【図３】旋回フレーム、エンジン、熱交換装置、排気ガス浄化装置、尿素水タンク、尿素水ポンプ、吸込管路、戻り管路、供給管路等を示す平面図である。
【図４】左側面カバーを取り外した状態でキャブ、カウンタウエイト、仕切板、尿素水タンク、尿素水ポンプ、吸込管路、戻り管路、供給管路等を左後方からみた斜視図である。
【図５】仕切板、尿素水タンク、尿素水ポンプ、吸込管路、戻り管路、供給管路等を図４中の矢示Ｖ−Ｖ方向からみた断面図である。
【発明を実施するための形態】
【００１２】
以下、本発明の実施の形態に係る建設機械の代表例として、ホイール式の油圧ショベルを例に挙げ、図１ないし図５に従って詳細に説明する。
【００１３】
図１において、油圧ショベル１は、左，右の前輪２Ａおよび左，右の後輪２Ｂを有する自走可能なホイール式の下部走行体２（車体）を備えたホイール式油圧ショベルである。そして、油圧ショベル１は、下部走行体２上に旋回可能に搭載された上部旋回体３（車体）と、該上部旋回体３に俯仰動可能に設けられたフロント装置４とにより構成されている。この場合、油圧ショベル１は、上部旋回体３の旋回中心からフロント装置４の最小旋回半径と、旋回中心からカウンタウエイト６の後端までの後端旋回半径がほぼ同じ寸法である小旋回型の油圧ショベルとなっている。
【００１４】
フロント装置４は、ブーム４Ａ、アーム４Ｂ、バケット４Ｃ、ブームシリンダ４Ｄ、アームシリンダ４Ｅ、バケットシリンダ４Ｆ等により構成されている。図２に示すように、ブーム４Ａのフート部４Ｇは、後述する旋回フレーム５の前側で左，右方向の中間部に回動可能に取り付けられている。
【００１５】
旋回フレーム５は、上部旋回体３の支持構造体を構成するもので、前側にフロント装置４のフート部４Ｇが取り付けられ、下部走行体２上に旋回可能に搭載されている。図３に示すように、旋回フレーム５は、前，後方向に延びる厚肉な鋼板等からなる底板５Ａと、該底板５Ａ上に立設され、左，右方向に所定の間隔をもって前，後方向に延びた左縦板５Ｂ，右縦板５Ｃと、該各縦板５Ｂ，５Ｃの左，右に間隔をもって配置され、前，後方向に延びた左サイドフレーム５Ｄ，右サイドフレーム５Ｅと、前記底板５Ａ、各縦板５Ｂ，５Ｃから左，右方向に張出し、その先端部に左，右のサイドフレーム５Ｄ，５Ｅを支持する複数本の張出しビーム５Ｆとを含んで構成されている。各縦板５Ｂ，５Ｃの前側には、フロント装置４（フート部４Ｇ）が俯仰動可能に取り付けられ、後側には、後述のカウンタウエイト６が取り付けられている。
【００１６】
カウンタウエイト６は、旋回フレーム５を構成する左，右の縦板５Ｂ，５Ｃの後端に設けられている。このカウンタウエイト６は、フロント装置４との重量バランスをとるためのものである。ここで、油圧ショベル１は、小旋回型の油圧ショベルであるので、カウンタウエイト６は、上部旋回体３の旋回中心に近い位置に配置されている。これに伴い、カウンタウエイト６の後面は、上部旋回体３の旋回中心を中心とした略円弧状に形成されている（図２参照）。
【００１７】
エンジン７は、カウンタウエイト６の前側に位置して旋回フレーム５の後部に設けられている。図３に示すように、このエンジン７は、左，右方向に延在する横置き状態に搭載されている。エンジン７の左，右方向の一側となる左側には、外部の空気を冷却風として吸い込む冷却ファン８が配置されている。一方、エンジン７の左，右方向の他側となる右側には、油圧ポンプ（図示せず）が配置されている。油圧ポンプは、エンジン７によって駆動されることにより、上部旋回体３、フロント装置４に設けられた各種油圧アクチュエータに向けて作動用の圧油を吐出するものである。
【００１８】
また、エンジン７の吸気側には、図示しない吸気管が接続され、この吸気管の先端側には、エアクリーナ９が取り付けられている。このエアクリーナ９は、後述の熱交換装置上流室２０に配設され、吸い込んだ空気中のダストを遠心分離し、清浄化した空気のみをエンジン７に流通させる。一方、エンジン７の排気側には、排気管７Ａが接続されている。
【００１９】
排気ガス浄化装置１０は、エンジン７の排気管７Ａに設けられている。この排気ガス浄化装置１０は、エンジン７の右側に位置して油圧ポンプの上方に配設されている。排気ガス浄化装置１０は、エンジン７から排出される排気ガス中の有害物質を除去するものである。また、排気ガス浄化装置１０は、排気ガスの騒音を低減するための消音機構を備えている。そして、排気ガス浄化装置１０は、第１の排気ガス後処理装置１１、接続管１２、第２の排気ガス後処理装置１３を含んで構成されている。
【００２０】
第１の排気ガス後処理装置１１は、排気管７Ａの出口側に接続されている。この第１の排気ガス後処理装置１１は、前，後方向に延びる円筒体からなり、油圧ポンプより上方で後述の第２の排気ガス後処理装置１３よりも下方に配設されている。第１の排気ガス後処理装置１１の内部には、例えばセラミックス製のセル状筒体からなる酸化触媒（図示せず）が設けられている。
【００２１】
この酸化触媒は、軸方向に多数の貫通孔が形成され、内面に貴金属がコーティングされている。酸化触媒は、貫通孔に所定の温度下で排気ガスを流通させることにより、排気ガス中に含まれる一酸化炭素（ＣＯ）、炭化水素（ＨＣ）等を酸化して除去するものである。また、必要に応じて粒子状物質（ＰＭ）を燃焼除去するものである。
【００２２】
接続管１２は、第１の排気ガス後処理装置１１の上方に前，後方向に延びて配設されている。接続管１２は、第１の排気ガス後処理装置１１と第２の排気ガス後処理装置１３との間を接続するものである。具体的には、接続管１２は、第１の排気ガス後処理装置１１の前端側（排気ガスの流れ方向の下流側）と第２の排気ガス後処理装置１３の後端側（排気ガスの流れ方向の上流側）に接続されている。また、接続管１２の前端側（排気ガスの流れ方向の上流側）には、後述の尿素水噴射弁１４が設けられている。
【００２３】
第２の排気ガス後処理装置１３は、第１の排気ガス後処理装置１１の左上方に配置されたものである。この第２の排気ガス後処理装置１３は、接続管１２の出口側に接続され、第１の排気ガス後処理装置１１と平行して前，後方向に延びる円筒体として形成されている。第２の排気ガス後処理装置１３内には、尿素選択還元触媒１３Ａと酸化触媒１３Ｂとが配設されている（図３参照）。
【００２４】
尿素選択還元触媒１３Ａは、例えばセラミックス製のセル状筒体からなり、その軸方向には多数の貫通孔が形成され、内面に貴金属がコーティングされている。尿素選択還元触媒１３Ａは、通常、エンジン７から排出される排気ガスに含まれる窒素酸化物（ＮＯｘ）を、尿素水溶液から生成されたアンモニアによって選択的に還元反応させ、窒素と水に分解する。
【００２５】
酸化触媒１３Ｂは、尿素選択還元触媒１３Ａよりも排気ガスの流れ方向の下流側に設けられている。この酸化触媒１３Ｂは、前述した第１の排気ガス後処理装置１１の酸化触媒とほぼ同様に、セラミックス製のセル状筒体からなり、その軸方向には多数の貫通孔が形成され、内面に貴金属がコーティングされている。これにより、酸化触媒１３Ｂは、尿素選択還元触媒１３Ａで窒素酸化物を還元した後に残った残留アンモニアを酸化し、窒素と水に分離する。
【００２６】
尿素水噴射弁１４は、接続管１２の前端側に設けられている。この尿素水噴射弁１４は、尿素水溶液を貯える後述の尿素水タンク２２に吸込管路２７、尿素水ポンプ２５、供給管路２９を介して接続されている。尿素水噴射弁１４は、接続管１２内を流通する排気ガスに向けて還元剤である尿素水を尿素選択還元触媒１３Ａよりも上流側に噴射するものである。
【００２７】
熱交換装置１５は、冷却ファン８による冷却風の流れ方向の上流側に位置するように冷却ファン８と対面して配置されている。この熱交換装置１５は、例えばエンジン冷却水を冷却するラジエータ、作動油を冷却するオイルクーラ、エンジン７が吸い込む空気を冷却するインタクーラ等により構成されている。熱交換装置１５は、エンジン７、油圧ポンプ等と一緒に後述の建屋１９によって覆われている。
【００２８】
キャブ１６は、フロント装置４のフート部４Ｇを挟んで左側に位置して旋回フレーム５上に設けられている。このキャブ１６は、オペレータが搭乗するもので、内部にはオペレータが着座する運転席、走行用のハンドル、作業用の操作レバー等（いずれも図示せず）が配設されている。さらに、運転席の近傍には、油圧ショベル１の電気系統のオン，オフ、エンジン７の始動、停止等を操作するキースイッチ（図示せず）が配設されている。
【００２９】
作動油タンク１７は、エンジン７の前側で、かつフロント装置４のフート部４Ｇを挟んで右側に位置して旋回フレーム５上に設けられている。この作動油タンク１７は、油圧ショベル１に搭載された各種アクチュエータに供給される作動油を貯えるものである。一方、燃料タンク１８は、作動油タンク１７の右側に隣接して旋回フレーム５上に設けられている。この燃料タンク１８は、エンジン７に供給される燃料を貯えるものである。
【００３０】
建屋１９は、上部旋回体３の後側に位置して旋回フレーム５上に設けられている。この建屋１９は、カウンタウエイト６、キャブ１６、作動油タンク１７および燃料タンク１８との間に位置してエンジン７、熱交換装置１５等を含む搭載機器を覆うものである。建屋１９は、エンジン７、熱交換装置１５等の上方を覆う上面カバー１９Ａと、上面カバー１９Ａの左端から熱交換装置１５に対面するように立下がる左側面カバー１９Ｂと、上面カバー１９Ａの右端から立下がる右側面カバー１９Ｃとにより構成されている。
【００３１】
左側面カバー１９Ｂは、旋回フレーム５の左，右方向の一の面、即ち左サイドフレーム５Ｄ上に配置され、例えば前部を支点にして開閉することができる。即ち、左側面カバー１９Ｂは、後述の仕切板２１にヒンジ（図示せず）を介して取り付けられることにより、後述の熱交換装置上流室２０の左側を開閉可能に閉塞している。
【００３２】
熱交換装置上流室２０は、キャブ１６とカウンタウエイト６との間に設けられたものである。即ち、熱交換装置上流室２０は、熱交換装置１５に供給される冷却風の流れ方向に対して熱交換装置１５よりも上流側に設けられている。この熱交換装置上流室２０は、建屋１９、後述の仕切板２１、およびカウンタウエイト６によって囲まれた空間である。
【００３３】
具体的には、熱交換装置上流室２０は、上方を建屋１９の上面カバー１９Ａによって閉塞され、前方を仕切板２１によって閉塞され、後方をカウンタウエイト６によって閉塞されている。また、熱交換装置上流室２０の左方は、左側面カバー１９Ｂによって開閉可能に閉塞されている。一方、熱交換装置上流室２０の右方には、熱交換装置１５が配設されている。
【００３４】
仕切板２１は、熱交換装置上流室２０とキャブ１６との間を仕切っている。この仕切板２１は、熱交換装置１５の前部とキャブ１６の後面との間に位置して、左，右方向に延びて旋回フレーム５上に立設されたものである。
【００３５】
尿素水タンク２２は、熱交換装置上流室２０内に位置して旋回フレーム５上に設けられている。この尿素水タンク２２は、排気ガス浄化装置１０の接続管１２に設けられた尿素水噴射弁１４に供給される尿素水を貯えるものである。尿素水タンク２２は、タンク受２３内に収容されて熱交換装置上流室２０の前側に配設されている。即ち、図３ないし図５に示すように、尿素水タンク２２は、仕切板２１に隣接して熱交換装置上流室２０を下側から閉塞するアンダカバー２４上に取り付けられている。
【００３６】
尿素水タンク２２の左板２２Ａの上端側には、尿素水を給水するための給水口２２Ｂが設けられている。これにより、左側面カバー１９Ｂを開放して尿素水タンク２２の給水口２２Ｂから簡単に尿素水を給水することができる。
【００３７】
また、尿素水タンク２２の上板２２Ｃには、蓋体２２Ｄが設けられている。この蓋体２２Ｄには、後述の吸込管路２７および戻り管路３０が接続される。また、蓋体２２Ｄには、その他に例えば尿素水タンク２２内の尿素水の液量を計測する液面計（図示せず）および尿素水タンク２２内の尿素水を解凍するヒータ（図示せず）等が取り付けられている。
【００３８】
尿素水ポンプ２５は、熱交換装置上流室２０内で尿素水タンク２２よりも上方に配置されている。具体的には、尿素水ポンプ２５は、尿素水タンク２２の上方で尿素水タンク２２の近傍に配置され、３個のボルト２６により仕切板２１に取り付けられている。換言すると、図３に示すように、尿素水ポンプ２５は、平面視で（上方からみて）尿素水タンク２２の上板２２Ｃの一部を覆うように仕切板２１に取り付けられている。
【００３９】
尿素水ポンプ２５の上面には、左，右方向に離間して左側から吸込口２５Ａ、戻り口２５Ｂ、供給口２５Ｃが設けられている。吸込口２５Ａには、後述の吸込管路２７が接続され、戻り口２５Ｂには、後述の戻り管路３０が接続される。また、供給口２５Ｃには、後述の供給管路２９が接続される。尿素水ポンプ２５には、その他にも電線、信号線等のケーブル（図示せず）が接続されている。尿素水ポンプ２５は、尿素水タンク２２に貯えられた尿素水を尿素水噴射弁１４に向けて供給するものである。
【００４０】
吸込管路２７は、尿素水タンク２２と尿素水ポンプ２５との間を接続して設けられている。この吸込管路２７は、尿素水タンク２２から尿素水ポンプ２５に向けて吸い込まれる尿素水が流通するものである。図５に示すように、吸込管路２７の下端側は、尿素水タンク２２の蓋体２２Ｄに接続され、尿素水タンク２２内を下方（底部）に向けて延びている。一方、吸込管路２７の上端側は、尿素水ポンプ２５の吸込口２５Ａに接続されている。吸込管路２７は、尿素水タンク２２と尿素水ポンプ２５との間を上，下方向に延在して配設され、途中部位が留め具２８により仕切板２１に固定されている。
【００４１】
供給管路２９は、尿素水ポンプ２５と尿素水噴射弁１４との間を接続して設けられている。この供給管路２９は、尿素水ポンプ２５により尿素水噴射弁１４に向けて供給される尿素水が流通するものである。図３、図５に示すように、供給管路２９の一端側は、尿素水ポンプ２５の供給口２５Ｃに接続され、他端側は、尿素水噴射弁１４に接続されている。
【００４２】
次に、本実施の形態による戻り管路３０について説明する。
【００４３】
戻り管路３０は、尿素水ポンプ２５と尿素水タンク２２との間を接続して設けられている。この戻り管路３０は、尿素水ポンプ２５から尿素水タンク２２に向けて戻される尿素水が流通するものである。戻り管路３０の下端側は、尿素水タンク２２の蓋体２２Ｄに接続され、尿素水タンク２２内に突出している。一方、戻り管路３０の上端側は、尿素水ポンプ２５の戻り口２５Ｂに接続されている。
【００４４】
図５に示すように、戻り管路３０は、吸込管路２７に沿って配設され留め具２８により吸込管路２７と共に仕切板２１に固定されている。戻り管路３０は、尿素水ポンプ２５と尿素水タンク２２との間を上，下方向に延在して配設されている。即ち、尿素水ポンプ２５を尿素水タンク２２の上方かつ尿素水タンク２２の近傍に配置することにより、戻り管路３０は、尿素水タンク２２と尿素水ポンプ２５との間で全体的に上，下方向に延在して配設される。これにより、尿素水ポンプ２５の駆動を停止したときに、戻り管路３０内の尿素水を尿素水タンク２２内に戻すことができるので、戻り管路３０内で尿素水が凍結するのを抑制することができる。
【００４５】
コントローラ３１は、尿素水ポンプ２５の右下側に位置して仕切板２１に取り付けられている。このコントローラ３１は、例えば図示しないケーブルにより排気ガス浄化装置１０、尿素水噴射弁１４、尿素水タンク２２、尿素水ポンプ２５等に接続され、油圧ショベル１の運転状況（例えば、排気ガスの排気量等）に応じて、尿素水噴射弁１４の開閉弁制御および尿素水ポンプ２５の駆動制御等を行うものである。
【００４６】
本実施の形態による油圧ショベル１は上述の如き構成を有するもので、次に、この油圧ショベル１の動作について説明する。
【００４７】
オペレータは、キャブ１６に搭乗して運転席に着座する。この状態でキースイッチを操作することによりエンジン７を始動して油圧ポンプを駆動させる。油圧ポンプを駆動して動力源となる圧油を確保したら、オペレータは、走行用のアクセルペダルおよびハンドルを操作することにより、下部走行体２を駆動して油圧ショベル１を前進または後退させることができる。一方、運転席に着座したオペレータは、作業用の操作レバーを操作することにより、フロント装置４を俯仰動させて土砂の掘削作業等を行うことができる。
【００４８】
この場合、エンジン７から排出される排気ガスは、排気ガス浄化装置１０により浄化処理されて大気中に排出される。具体的には、エンジン７から排出される排気ガスは、第１の排気ガス後処理装置１１により排気ガス中に含まれる一酸化炭素（ＣＯ）、炭化水素（ＨＣ）等が除去される。次に、排気ガスは、接続管１２内で尿素水噴射弁１４から噴射された尿素水により加水分解されてアンモニアが生成される。その後、排気ガスは、第２の排気ガス後処理装置１３により窒素酸化物（ＮＯｘ）を尿素水から生成されたアンモニアによって選択的に還元反応させて窒素と水に分解した後に大気中に排出される。
【００４９】
次に、コントローラ３１が行う尿素水ポンプ２５の駆動制御について説明する。
【００５０】
まず、オペレータがキースイッチをオン操作してエンジン７を始動させると、コントローラ３１は、尿素水タンク２２内の尿素水の状態（凍結、充填量等）を判定する。そして、コントローラ３１は、この判定で尿素水の状態に問題がないと判定すると、尿素水ポンプ２５の駆動を開始させる。
【００５１】
尿素水ポンプ２５の駆動が開始されると、尿素水タンク２２内の尿素水は、吸込管路２７、尿素水ポンプ２５、戻り管路３０を循環流通する。この場合、一部の尿素水は、尿素水ポンプ２５から供給管路２９内に向けて流通する。
【００５２】
そして、コントローラ３１は、供給管路２９内に尿素水が充填されて供給管路２９内の圧力が所定の値になっているか否かを判定する。コントローラ３１は、供給管路２９内の圧力が所定の値に到達していると判定すると、排気ガスの排気量等に応じて尿素水噴射弁１４の開閉弁制御を行う。これにより、尿素水は、排気ガス浄化装置１０の接続管１２内を流れる排気ガス中に噴射される。
【００５３】
そして、オペレータがキースイッチをオフ操作してエンジン７の駆動を停止させると、コントローラ３１は、尿素水ポンプ２５の駆動を停止する。次に、コントローラ３１は、尿素水ポンプ２５内の戻り管路３０の弁（図示せず）を閉じて、尿素水ポンプ２５の逆送駆動を開始する。
【００５４】
これにより、吸込管路２７内と供給管路２９内とに残留している尿素水は、尿素水タンク２２に戻されることになる。従って、車体の停止時に吸込管路２７内と供給管路２９内とに尿素水が残留するのを抑制することができる。その後、コントローラ３１は、尿素水ポンプ２５の逆送駆動を停止させる。
【００５５】
ところで、前述した従来技術では、戻り管路が前，後方向に延びて配設されているので、車体の停止時に戻り管路内の尿素水を尿素水タンクに戻すことができない虞がある。この場合、例えば気温が尿素水凝固点以下（例えば、−１１℃）となると尿素水は凍結してしまう。特に、戻り管路内の尿素水は、尿素水タンク内の尿素水の貯留量に比べて少ない残留量であるので短時間で凍結してしまう虞がある。
【００５６】
戻り管路内に残留した尿素水が凍結した状態で尿素水ポンプを駆動すると、尿素水を円滑に循環（流通）させることができず、排気ガスの浄化処理制御を適切に行うことができない虞がある。また、凝固した尿素水は、体積が膨張するので戻り管路の寿命が低下する虞がある。
【００５７】
そこで、本実施の形態では、尿素水ポンプ２５を尿素水タンク２２よりも上方に配置している。そして、戻り管路３０は、尿素水ポンプ２５と尿素水タンク２２との間を上，下方向に延在して配設されている。これにより、尿素水ポンプ２５の駆動を停止して尿素水ポンプ２５内の戻り管路３０の弁を閉じたときに、戻り管路３０内の尿素水を尿素水タンク２２に戻すことができる。
【００５８】
即ち、尿素水ポンプ２５が駆動しているときには、戻り管路３０内の尿素水は尿素水タンク２２に向けて流通している。そして、尿素水ポンプ２５の駆動を停止して尿素水ポンプ２５内の戻り管路３０の弁を閉じたときには、戻り管路３０内を尿素水タンク２２に向けて流通していた尿素水の流速の慣性力と、上，下方向に延在する戻り管路３０とにより、戻り管路３０内の尿素水を尿素水タンク２２に戻すことができる。
【００５９】
これにより、吸込管路２７、供給管路２９、および戻り管路３０内に尿素水が残留するのを抑制することができる。従って、吸込管路２７、供給管路２９、および戻り管路３０内で尿素水が凍結するのを抑制することができ、ひいては排気ガスの浄化処理制御の信頼性、安定性を向上することができる。また、吸込管路２７および戻り管路３０内に尿素水が残留しないので、例えばこれら管路２７、３０にヒータ等を設ける必要がなくコストを低減することができる。
【００６０】
かくして、本実施の形態によれば、尿素水ポンプ２５を尿素水タンク２２よりも上方に配置することにより、戻り管路３０を尿素水ポンプ２５と尿素水タンク２２との間で上，下方向に配設している。これにより、戻り管路３０内に尿素水が残留するのを抑制することができるので、戻り管路３０内で尿素水が凍結するのを抑制することができ、ひいては排気ガスの浄化処理制御の信頼性、安定性を向上することができる。また、戻り管路３０内で尿素水が凍結して膨張するのを抑制することができるので、戻り管路３０の寿命を向上することができる。
【００６１】
また、尿素水タンク２２と尿素水ポンプ２５とは、熱交換装置上流室２０内に配設されている。これにより、左側面カバー１９Ｂを開放して尿素水タンク２２に尿素水を供給する給水作業および尿素水タンク２２と尿素水ポンプ２５とのメンテナンス作業を簡単に行うことができる。
【００６２】
さらに、尿素水タンク２２は、熱交換装置上流室２０とキャブ１６との間を仕切る仕切板２１に隣接して配置されている。そして、尿素水ポンプ２５は、尿素水タンク２２よりも上方に位置して仕切板２１に取り付けられている。即ち、尿素水ポンプ２５は、尿素水タンク２２に近傍して配置されている。これにより、戻り管路３０の長さ寸法を可及的に短くすることができるので、戻り管路３０内の尿素水を効率よく尿素水タンク２２に戻すことができる。また、吸込管路２７と戻り管路３０とを仕切板２１に沿わせて配設することができるので、吸込管路２７と戻り管路３０とが邪魔になることなく、熱交換装置１５、尿素水タンク２２、尿素水ポンプ２５等のメンテナンス作業を行うことができる。
【００６３】
なお、上述した実施の形態では、尿素水タンク２２と尿素水ポンプ２５とを熱交換装置上流室２０内に配設した場合を例に挙げて説明した。しかし、本発明はこれに限らず、例えば熱交換装置上流室２０以外で旋回フレーム５上に尿素水ポンプを尿素水タンクよりも上方に配置した状態で、戻り管路を尿素水ポンプと尿素水タンクとの間で上，下方向に配設してもよい。
【００６４】
また、上述した実施の形態では、尿素水タンク２２を仕切板２１に隣接して配置し、尿素水ポンプ２５を尿素水タンク２２よりも上方に位置して仕切板２１に取り付けた場合を例に挙げて説明した。しかし、本発明はこれに限らず、例えば尿素水タンクをカウンタウエイト側に配置し、尿素水ポンプをカウンタウエイト側で尿素水タンクよりも上方に配置してもよい。
【００６５】
また、上述した実施の形態では、建設機械として小旋回型のホイール式油圧ショベル１を例に挙げて説明した。しかし、本発明はこれに限らず、例えばクローラ式油圧ショベル、油圧クレーン等の他の建設機械にも広く適用することができる。さらに、エンジンと電動モータとを搭載したハイブリッド式の建設機械にも適用することができる。
【符号の説明】
【００６６】
１  油圧ショベル（建設機械）
２  下部走行体（車体）
３  上部旋回体（車体）
４  フロント装置
５  旋回フレーム（支持構造体）
６  カウンタウエイト
７  エンジン
７Ａ  排気管
８  冷却ファン
１０  排気ガス浄化装置
１３Ａ  尿素選択還元触媒
１４  尿素水噴射弁
１５  熱交換装置
１６  キャブ
２０  熱交換装置上流室
２１  仕切板
２２  尿素水タンク
２５  尿素水ポンプ
２７  吸込管路
２９  供給管路
３０  戻り管路
【図１】
0006445476.tif 000002
【図２】
0006445476.tif 000003
【図３】
0006445476.tif 000004
【図４】
0006445476.tif 000005
【図５】
0006445476.tif 000006